【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
エレベータのかごの側壁に嵌設されて操作器具が収納された前面開口の収納ボックスと、複数の板状体からなるフェースプレート片で上記収納ボックスの上記開口を覆うフェースプレートと、長軸を水平方向へ向けた長穴が掘穿された受け具の上記長穴にピンを挿入させて上記フェースプレート片の側縁部を上記収納ボックスに係止するヒンジ機構と、上記フェースプレート片に取り付けられてキー操作によって揺動するレバーと、このレバーの揺動により上記フェースプレート片を偏移させて上記受け具と上記ピンの係合位置を移動させることにより上記フェースプレート片を回動可能とする係合子とからなるエレベータのかご操作盤。
【請求項２】
フェースプレート片の片側のみをヒンジ機構で収納ボックスに係止するものとした請求項１に記載のエレベータのかご操作盤。
【請求項３】
フェースプレート片の両側をヒンジ機構で収納ボックスに係止するものとし、かつ、受け具の長穴の一端を開放端とし一方の上記ヒンジ機構の上記受け具とこの受け具に挿入されるピンとの係合位置を移動させたときに他方の上記ヒンジ機構の上記ピンが上記開放端を介して上記受け具から解放されるものとした請求項１に記載のエレベータのかご操作盤。
【請求項４】
複数のフェースプレート片の内の所定の上記フェースプレート片をヒンジ機構によって収納ボックスに係止し、所定の上記フェースプレート片と所定の上記フェースプレート片に隣接する隣接フェースプレート片のいずれか一方にレバーを取り付け、いずれか他方に係合子を取り付け、かつ、レバーは正常位置で所定の上記フェースプレート片を上記隣接フェースプレート片に係止させて所定の上記フェースプレート片を施錠状態としたことを特徴とする請求項１に記載のエレベータのかご操作盤。
【請求項５】
係合子を、フェースプレート片の正常位置でレバーを制止させる位置決め機構を具備するものとした請求項１に記載のエレベータのかご操作盤。
【手続補正２】
【補正対象書類名】明細書
【補正対象項目名】００１５
【補正方法】変更
【補正の内容】
【００１５】
【課題を解決するための手段】
請求項１に係るエレベータのかご操作盤は、操作器具が収納された収納ボックスを覆う広幅の複数の板状体からなるフェースプレート片の側縁部を、長軸を水平方向へ向けた長穴が掘穿された受け具にピンが挿入されたヒンジ機構で収納ボックスに係止し、キー操作によって揺動するレバーに係合子を係合させてフェースプレート片を偏移させ、この偏移によって受け具とピンの係合位置を移動させると共に、フェースプレート片のオーバーハング部分を収納ボックスの開口部分まで移動させてフェースプレート片を回動可能にして、収納ボックスを開放できるようにしたものである。
【手続補正３】
【補正対象書類名】明細書
【補正対象項目名】００１７
【補正方法】変更
【補正の内容】
【００１７】
請求項３に係るエレベータのかご操作盤は、請求項１に係るエレベータのかご操作盤において、フェースプレート片の両側をヒンジ機構で収納ボックスに係止し、かつ、受け具の長穴の一端を開放端とし一方の受け具とこの受け具に挿入されるピンとの係合位置を移動させたときに他方のヒンジ機構のピンが開放端を介して受け具から解放されるようにしたものである。
【手続補正４】
【補正対象書類名】明細書
【補正対象項目名】００２４
【補正方法】変更
【補正の内容】
【００２４】
図２はフェースプレート片５ｂが開放された状態を示し、レバー２５は反時計方向へ回されて左揺動レバー２６は水平になっている。
２２は長軸をフェースプレート片５ｂの板面に平行に水平方向へ向けた長穴２２ａが掘穿された受け具で、フェースプレート片５ｂの一側部の背面に取り付けられている。２３は収納ボックス４の内側側面に突設され、開口側へ直角に屈曲した取付腕、２４は取付腕２３の先端部に立設されたピンで、長穴２２ａに挿入されてフェースプレート片５ｂの側縁部を収納ボックス４に係止する。即ち、取付腕２３とピン２４と受け具２２は、ヒンジ機構２１を構成する。
【手続補正５】
【補正対象書類名】明細書
【補正対象項目名】００２８
【補正方法】変更
【補正の内容】
【００２８】
次に、フェースプレート片５ｂを開く方法を述べる。
まず、錠１０にキー１１を差し込み、反時計方向へ９０度回動させる。図６は、キー１１を反時計方向へ９０度回動させたときの図１のＶ−Ｖ線断面を矢視したものである。フェースプレート片５ｂが正常な位置にあるときは、図５に示したとおり、ピン２４はフェースプレート片５ｂの中心側の終端で受け具２２と係合している。キー１１を反時計方向へ回動させると、左揺動レバー２６は右側係合子３１に当接する。更に反時計方向へ回動させると、フェースプレート片５ｂを左方へ移動させる。この左方移動に伴ってピン２４は長穴２２ａ内を移動して側縁側の終端で受け具２２と係合する。
【手続補正６】
【補正対象書類名】明細書
【補正対象項目名】００３７
【補正方法】変更
【補正の内容】
【００３７】
５３は収納ボックス４の右側内側面に水平に突設されてフェースプレート片５ｂ側へ直角に屈曲した取付腕である。５４は取付腕５３の先端部に立設されたピンで、長穴５２ａに挿入されてフェースプレート片５ｂの右側縁部を収納ボックス４に係止する。即ち、取付腕５３とピン５４と受け具５２は、ヒンジ機構５１を構成する。
【手続補正７】
【補正対象書類名】明細書
【補正対象項目名】００４３
【補正方法】変更
【補正の内容】
【００４３】
次に、フェースプレート片５ｂの左側を開く場合について述べる。
左側を開く場合も、右側を開く場合と同様であって、錠１０にキー１１を差し込み、反時計方向へ回動させると、図１３に示したとおり、レバー５５は右側係合子６２を蹴ってフェースプレート片５ｂを右側へ移動させる。この移動によってフェースプレート片５ｂの左側の端縁は収納ボックス４の左側側板よりも内側へ移動し、ピン５４ｈは長穴５２ｈａの他端部側で受け具５２ｈと係合し、ピン５４は長穴５２ａの一端部で受け具５２ｈと係合する。
【手続補正８】
【補正対象書類名】明細書
【補正対象項目名】００５０
【補正方法】変更
【補正の内容】
【００５０】
【発明の効果】
この発明は上記のとおり構成されているので、以下の効果を奏する。
請求項１に係るエレベータのかご操作盤は、操作器具が収納された収納ボックスを覆う複数の板状体からなるフェースプレート片の側縁部を、長軸を水平方向へ向けた長穴が掘穿された受け具にピンが挿入されたヒンジ機構で収納ボックスに係止し、キー操作によって揺動するレバーに係合子を係合させてフェースプレート片を偏移させ、この偏移によって受け具とピンの係合位置を移動させると共に、オーバーハング部分を収納ボックスの開口部分まで移動させてフェースプレート片を回動可能にして収納ボックスを開放できるようにしたものである。
このため、受け具とピンの係合位置が収納ボックス内にあっても開閉することができ、フェースプレートをかご室内側へ突出させる必要がなくなる、という効果を奏する。
また、フェースプレート５の開閉のためには、収納ボックス４は、フェースプレート片が沈み込むのに必要な深さがあれば良いから、操作器具を収納するのに必要とされる本来の深さで足りる、という効果も併せて奏する。
【手続補正９】
【補正対象書類名】明細書
【補正対象項目名】００５２
【補正方法】変更
【補正の内容】
【００５２】
請求項３に係るエレベータのかご操作盤は、請求項１に係るエレベータのかご操作盤において、フェースプレート片の両側をヒンジ機構で収納ボックスに係止し、かつ、受け具の長穴の一端を開放端とし一方の受け具とこの受け具に挿入されるピンとの係合位置を移動させたときに他方のヒンジ機構のピンが開放端を介して受け具から解放されるようにしたものである。
このため、左右何れの側からもフェースプレート片を開くことができ、開き勝手による不具合を無くすことができる、という効果を併せて奏する。